(57)【要約】  被監視者監視システムは、撮像部と、測定部と、記憶部と、第１の記憶処理部と、検出部と、第２の記憶処理部と、を備える。前記撮像部は、被監視者が寝ている状態で前記被監視者を撮影する。前記測定部は、前記撮影と並行して、寝ている前記被監視者の動き量を測定する。前記第１の記憶処理部は、寝ている前記被監視者の前記動き量が所定量以下の時間帯を記録時間帯に設定し、前記記録時間帯に前記撮像部によって撮影された前記被監視者の画像を、前記記憶部に記憶させる第１の処理をする。前記検出部は、前記第１の処理によって前記記憶部に記憶された画像を基に前記被監視者が寝ている姿勢である寝姿勢を検出する。第２の記憶処理部は、前記検出部が検出した前記寝姿勢を示す寝姿勢情報を、前記記憶部に記憶させる第２の処理をする。
2017183602.tif 000002
【特許請求の範囲】
【請求項１】
被監視者が寝ている状態で前記被監視者を撮影する撮像部と、
前記撮影と並行して、寝ている前記被監視者の動き量を測定する測定部と、
記憶部と、
寝ている前記被監視者の前記動き量が所定量以下の時間帯を記録時間帯に設定し、前記記録時間帯に前記撮像部によって撮影された前記被監視者の画像を、前記記憶部に記憶させる第１の処理をする第１の記憶処理部と、
前記第１の処理によって前記記憶部に記憶された画像を基に前記被監視者が寝ている姿勢である寝姿勢を検出する検出部と、
前記検出部が検出した前記寝姿勢を示す寝姿勢情報を、前記記憶部に記憶させる第２の処理をする第２の記憶処理部と、を備える被監視者監視システム。
【請求項２】
前記測定部は、前記動き量を逐次測定し、
前記被監視者監視システムは、さらに、逐次測定された前記動き量が所定の閾値以下であるか否かを判定する第１の判定部を備え、
前記第１の記憶処理部は、前記動き量が前記所定の閾値以下の時間帯を前記記録時間帯に設定し、前記第１の処理をする請求項１に記載の被監視者監視システム。
【請求項３】
第１の入力部をさらに備え、
前記第１の判定部は、前記動き量が、前記第１の入力部が操作され入力された前記所定の閾値以下であるか否かを判定する請求項２に記載の被監視者監視システム。
【請求項４】
第２の入力部と、
前記第２の入力部が操作され入力された前記被監視者に関する所定の特徴パラメータに基づいて、前記所定の閾値を決定する第１の決定部と、をさらに備える請求項２に記載の被監視者監視システム。
【請求項５】
前記特徴パラメータは、前記被監視者の体型を示す情報であり、
前記第１の決定部は、前記被監視者の体型が痩せている場合、太っている場合と比べて、決定する前記所定の閾値を小さくする請求項４に記載の被監視者監視システム。
【請求項６】
前記特徴パラメータは、前記被監視者が麻痺の症状を有するか否かの情報であり、
前記第１の決定部は、前記被監視者が麻痺の症状を有する場合、麻痺の症状を有さない場合と比べて、決定する前記所定の閾値を小さくする請求項４に記載の被監視者監視システム。
【請求項７】
前記特徴パラメータは、前記被監視者の麻痺の箇所を示す情報であり、
前記第１の決定部は、前記被監視者の麻痺の箇所が予め定められた箇所の場合、前記予め定められた箇所でない場合と比べて、決定する前記所定の閾値を小さくする請求項４に記載の被監視者監視システム。
【請求項８】
前記第１の記憶処理部は、前記第１の処理として、前記記録時間帯に前記撮像部によって撮影された前記被監視者の全画像のうち、当該記録時間帯において、所定の時間間隔で選択した画像を前記記憶部に記憶させる請求項１〜７のいずれか一項に記載の被監視者監視システム。
【請求項９】
第３の入力部をさらに備え、
前記第１の記憶処理部は、前記第３の入力部が操作され入力された前記所定の時間間隔に基づいて選択した画像を前記記憶部に記憶させる請求項８に記載の被監視者監視システム。
【請求項１０】
第４の入力部と、
前記第４の入力部が操作され入力された前記被監視者に関する所定の特徴パラメータに基づいて、前記所定の時間間隔を決定する第２の決定部と、をさらに備える請求項８に記載の被監視者監視システム。
【請求項１１】
前記特徴パラメータは、前記被監視者の体型を示す情報であり、
前記第２の決定部は、前記被監視者の体型がやせている場合、太っている場合と比べて、決定する前記所定の時間間隔を短くする請求項１０に記載の被監視者監視システム。
【請求項１２】
前記特徴パラメータは、前記被監視者が麻痺の症状を有するか否かの情報であり、
前記第２の決定部は、前記被監視者が麻痺の症状を有する場合、麻痺の症状を有さない場合と比べて、決定する前記所定の時間間隔を短くする請求項１０に記載の被監視者監視システム。
【請求項１３】
前記特徴パラメータは、前記被監視者の麻痺の箇所を示す情報であり、
前記第２の決定部は、前記被監視者の麻痺の箇所が予め定められた箇所の場合、前記予め定められた箇所でない場合と比べて、決定する前記所定の時間間隔を短くする請求項１０に記載の被監視者監視システム。
【請求項１４】
前記被監視者が寝ている姿勢か否かを判定する第３の判定部と、
前記被監視者が寝ている姿勢でないと判定されたとき、前記動き量が前記所定量以下でも、前記第１の記憶処理部は前記第１の処理をせず、かつ、前記第２の記憶処理部は前記第２の処理をしない請求項１〜１３のいずれか一項に記載の被監視者監視システム。
【請求項１５】
被監視者が寝ている状態で前記被監視者を撮影する第１のステップと、
前記第１のステップと並行して、寝ている前記被監視者の動き量を測定する第２のステップと、
寝ている前記被監視者の前記動き量が所定量以下の時間帯を記録時間帯に設定し、前記記録時間帯に、前記第１のステップによって撮影された前記被監視者の画像を、記憶部に記憶させる第１の処理をする第３のステップと、
前記第１の処理によって前記記憶部に記憶された画像を基に前記被監視者が寝ている姿勢である寝姿勢を検出する第４のステップと、
前記第４のステップによって検出された前記寝姿勢を示す寝姿勢情報を、前記記憶部に記憶させる第２の処理をする第５のステップと、を備える被監視者監視方法。
【発明の詳細な説明】
【技術分野】
【０００１】
本発明は、例えば、看護を必要とする者や介護を必要とする者（以下、要看護者等）を、監視対象として監視する被監視者監視システム、及び、このシステムに適用される方法に関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、高齢化社会ではない通常の社会よりも、病気や怪我や高齢等による要看護者等の数の増加が見込まれる。【０００３】
このような要看護者等は、病院や、老人福祉施設（日本の法令では老人短期入所施設、養護老人ホームおよび特別養護老人ホーム等）等の施設に入所し、その看護や介護を受ける。このような病院や老人福祉施設等の施設では、要看護者等が快適で安心して過ごせるように、例えば、看護師や介護士のような要看護者等の看護や介護をする者（以下、看護師等）は、定期的に巡視することによってその安否を確認している。しかしながら、日勤の時間帯に較べ、準夜勤や夜勤の時間帯では、看護師等の人数が減るため、一人当たりの業務負荷が増大するので、業務負荷の軽減が要請される。このため、近年では、要看護者等を、被監視者として監視（モニタ）する被監視者監視装置が研究、開発されている。【０００４】
病院や老人福祉施設等の施設に収容されている要看護者等の中には、ベッド上で寝返りをすることが困難な者もおり、床ずれを防止するために、看護師等は、寝返り困難な要看護者等に対して必要に応じて、寝ている姿勢を変える作業をしている。また、寝返りができる要看護者等であっても、特定の姿勢（例えば、仰向き）で寝ている時間が長いとき、床ずれを起こすことがある。そこで、看護師等は、このような要看護者等に対しても必要に応じて、寝ている姿勢を変える作業をしている。【０００５】
人が寝ている姿勢としては、仰向き、横向き、うつ伏せがある。要看護者等に対して、寝ている姿勢を変えるとき、特定の姿勢（例えば、仰向き）に集中しないように、寝ている姿勢を管理する必要がある。看護師等が、要看護者等の部屋に定期的に訪れて、寝ている姿勢を確認し、記録することは、看護師等にとって負担となる。【０００６】
人が寝ている姿勢を自動的に検出できる装置を用いて、要看護者等の寝ている姿勢を記録すれば、看護師等の負担を少なくできる。このような装置として、人に取り付ける接触タイプと、人に取り付けない非接触タイプとがある。要看護者等が、認知症の場合、装置を勝手に取り外す可能性がある。このため、要看護者等の場合、非接触タイプが好ましい。【０００７】
非接触タイプとして、例えば、特許文献１に開示された生体情報取得装置がある。この生体情報取得装置は、被検者にマイクロ波を照射し前記被検者で反射されたマイクロ波を検出する検出部と、前記検出部によって検出されたマイクロ波に含まれる呼吸成分を抽出する抽出部と、前記抽出部によって抽出された呼吸成分の信号強度に基づいて睡眠時の体位（仰向け、横向き、うつ伏せ）を判定する判定部と、を備える。【０００８】
要看護者等の体型（やせ型は床ずれのリスクが高い）や、要看護者等の体の麻痺の有無（麻痺があれば床ずれのリスクが高い、麻痺の部分を圧迫する姿勢は床ずれのリスクが高い）等に応じて、寝ている姿勢を変える時間間隔、次に変えるべき姿勢等が異なる。一人の看護師等が多くの要看護者等をケアする介護の現場において、看護師等の負担を小さくするために、要看護者等が寝ている姿勢の管理を支援できる技術が望まれる。
【先行技術文献】
【特許文献】
【０００９】
【特許文献１】特開２０１４−２０７９３４号公報
【発明の概要】
【００１０】
本発明の目的は、被監視者が寝ている姿勢の管理を支援できる被監視者監視システムおよび被監視者監視方法を提供することである。
【００１１】
上記目的を達成する本発明の第１局面にかかる被監視者監視システムは、撮像部と、測定部と、記憶部と、第１の記憶処理部と、検出部と、第２の記憶処理部と、を備える。前記撮像部は、被監視者が寝ている状態で前記被監視者を撮影する。前記測定部は、前記撮影と並行して、寝ている前記被監視者の動き量を測定する。前記第１の記憶処理部は、寝ている前記被監視者の前記動き量が所定量以下の時間帯を記録時間帯に設定し、前記記録時間帯に前記撮像部によって撮影された前記被監視者の画像を、前記記憶部に記憶させる第１の処理をする。前記検出部は、前記第１の処理によって前記記憶部に記憶された画像を基に前記被監視者が寝ている姿勢である寝姿勢を検出する。第２の記憶処理部は、前記検出部が検出した前記寝姿勢を示す寝姿勢情報を、前記記憶部に記憶させる第２の処理をする。
【００１２】
上記並びにその他の本発明の目的、特徴及び利点は、以下の詳細な記載と添付図面から明らかになるであろう。
【図面の簡単な説明】
【００１３】
【図１】本実施形態における被監視者監視システムの構成を示す図である。
【図２】図１に示す被監視者監視システムにおけるセンサ装置の構成を示す図である。
【図３】図１に示す被監視者監視システムにおける管理サーバ装置の構成を示す図である。
【図４】本実施形態における被監視者監視システムの一つの機能を説明する説明図である。
【図５】被監視者が寝ている状態（仰向け）を示す模式図である。
【図６】被監視者が寝ている状態（うつ伏せ）を示す模式図である。
【図７】被監視者が寝ている状態（右横向き）を示す模式図である。
【図８】被監視者が寝ている状態（左横向き）を示す模式図である。
【図９】本実施形態における被監視者監視システムにおいて、被監視者の寝姿勢、及び、記録時間帯の被監視者の画像を記憶する動作について説明するフローチャートである。
【図１０】体動を検出した場合におけるドップラ信号の一例を示す図である。
【図１１】呼吸を検出した場合におけるドップラ信号の一例を示す図である。
【発明を実施するための形態】
【００１４】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１５】
実施形態における被監視者監視システムは、監視すべき（見守るべき）監視対象（見守り対象）である被監視者（見守り対象者）を複数の装置を用いて監視するシステムであり、端末装置と、前記端末装置と通信可能に接続され、被監視者に関わる所定のイベント（事象）を検知して前記イベントを前記端末装置へ通知する被監視者監視装置とを備える。前記被監視者監視装置は、１個の装置で一体に構成されて良いが、本実施形態では、被監視者監視装置は、センサ装置と、前記センサ装置および前記端末装置それぞれと通信可能に接続される管理サーバ装置（中央処理装置）とを備えることで、２種類の各装置で別体に構成される。このセンサ装置は、被監視者に関わる前記所定のイベントを検知して前記管理サーバ装置へ通知（報知、送信）する。前記管理サーバ装置は、前記センサ装置から前記通知を受けると、前記通知を受けた前記イベントを管理するとともに前記イベントを前記センサ装置に対応付けられた所定の端末装置へ再通知（再報知、再送信）する。前記端末装置は、１種類の装置であって良いが、本実施形態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様であるので、以下の実施形態では、携帯端末装置を主に説明する。
【００１６】
図１は、実施形態における被監視者監視システムＭＳの構成を示す図である。図２は、図１に示す前記被監視者監視システムＭＳにおけるセンサ装置ＳＵの構成を示す図である。図３は、図１に示す被監視者監視システムＭＳにおける管理サーバ装置ＳＶの構成を示す図である。
【００１７】
このような被監視者監視システムＭＳは、より具体的には、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  Ｂｒａｎｃｈ  ｅＸｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷには、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｉｍｉｓｓｉｏｎ  Ｃｏｎｔｒｏｌ  Ｐｒｏｔｏｃｏｌ）およびＩＰ（Ｉｎｔｅｒｎｅｔ  Ｐｒｏｔｏｃｏｌ）等のインターネットプロトコル群が用いられることによっていわゆるイントラネットを構成する。
【００１８】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００１９】
センサ装置ＳＵは、ネットワークＮＷを介して他の装置ＳＶ、ＳＰ、ＴＡと通信する通信機能等を備え、被監視者Ｏｂに関わる所定のイベントを検知してこの検知した前記イベントを管理サーバ装置ＳＶへ通知し、端末装置ＳＰ、ＴＡとの間で音声通話を行い、そして、動画を含む画像を生成して端末装置ＳＰ、ＴＡへ動画を配信する装置である。前記所定のイベント（事象）は、好ましくは、対処（対応）が必要なイベントを含む。このようなセンサ装置ＳＵは、例えば、図２に示すように、撮像部１１、ドップラセンサ部１２、センサ側制御処理部（ＳＵ制御処理部）１３およびセンサ側通信インターフェース部（ＳＵ通信ＩＦ部）１４を備える。
【００２０】
撮像部１１は、ＳＵ制御処理部１３に接続され、ＳＵ制御処理部１３の制御に従って、画像（画像データ）を生成する装置である。前記画像には、静止画（静止画データ）および動画（動画データ）が含まれる。撮像部１１は、被監視者Ｏｂが所在を予定している空間（所在空間、図１に示す例では配設場所の居室ＲＭ）を監視可能に配置され、前記所在空間を撮像対象としてその上方から撮像し、前記撮像対象を俯瞰した画像（画像データ）を生成し、前記撮像対象の画像（対象画像）をＳＵ制御処理部１３へ出力する。好ましくは、被監視者Ｏｂ全体を撮像できる蓋然性が高いことから、撮像部１１は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、この撮像部１１によって、被監視者Ｏｂを、被監視者Ｏｂの上方から撮像した画像、好ましくは前記頭部予定位置の直上から撮像した画像を取得する。
【００２１】
このような撮像部１１は、可視光の画像を生成する装置であって良いが、比較的暗がりでも被監視者Ｏｂを監視できるように、本実施形態では、赤外線の画像を生成する装置である。このような撮像部１１は、例えば、本実施形態では、撮像対象における赤外の光学像を所定の結像面上に結像する結像光学系、前記結像面に受光面を一致させて配置され、前記撮像対象における赤外の光学像を電気的な信号に変換するイメージセンサ、および、イメージセンサの出力を画像処理することで前記撮像対象における赤外の画像を表すデータである画像データを生成する画像処理部等を備えるデジタル赤外線カメラである。撮像部１１の前記結像光学系は、本実施形態では、その配設された居室ＲＭ全体を撮像できる画角を持つ広角な光学系（いわゆる広角レンズ（魚眼レンズを含む））であることが好ましい。
【００２２】
ドップラセンサ部１２は、被監視者Ｏｂにおける所定の体動を測定する装置である。ドップラセンサ部１２は、送信波を送信し、物体で反射した送信波の反射波を受信し、送信波と反射波とに基づいてドップラ周波数成分のドップラ信号ＤＳを出力する体動センサである。物体が動いている場合、いわゆるドップラ効果により物体の動いている速度に比例して反射波の周波数がシフトするため、送信波の周波数と反射波の周波数とに差（ドップラ周波数成分）が生じる。ドップラセンサ部１２は、このドップラ周波数成分の信号をドップラ信号ＤＳとして生成し、ＳＵ制御処理部１３へ出力する。送信波は、超音波やマイクロ波等であって良いが、本実施形態では、マイクロ波である。マイクロ波は、着衣を透過して被監視者Ｏｂの体表で反射できるため、被監視者Ｏｂが衣服を着ていても体表の動きを検知でき、好ましい。
【００２３】
ＳＵ通信ＩＦ部１４は、ＳＵ制御処理部１３に接続され、ＳＵ制御処理部１３の制御に従って通信を行うための通信回路である。ＳＵ通信ＩＦ部１４は、ＳＵ制御処理部１３から入力された転送すべきデータを収容した通信信号を、この被監視者監視システムＭＳのネットワークＮＷで用いられる通信プロトコルに従って生成し、この生成した通信信号を、ネットワークＮＷを介して他の装置ＳＶ、ＳＰ、ＴＡへ送信する。ＳＵ通信ＩＦ部１４は、ネットワークＮＷを介して他の装置ＳＶ、ＳＰ、ＴＡから通信信号を受信し、この受信した通信信号からデータを取り出し、この取り出したデータをＳＵ制御処理部１３が処理可能な形式のデータに変換してＳＵ制御処理部１３へ出力する。ＳＵ通信ＩＦ部１４は、例えば、ＩＥＥＥ８０２．１１規格等に従った通信インターフェース回路を備えて構成される。
【００２４】
ＳＵ制御処理部１３は、センサ装置ＳＵの各部を当該各部の機能に応じてそれぞれ制御し、被監視者Ｏｂに関わる所定のイベントを検知してこの検知した前記イベントを管理サーバ装置ＳＶへ通知し、端末装置ＳＰ、ＴＡとの間で音声通話を行い、そして、動画を含む画像を生成して端末装置ＳＰ、ＴＡへ動画を配信するための回路である。ＳＵ制御処理部１３は、例えば、ＣＰＵ（Ｃｅｎｔｒａｌ  Ｐｒｏｃｅｓｓｉｎｇ  Ｕｎｉｔ）およびその周辺回路を備えて構成される。
【００２５】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００２６】
管理サーバ装置ＳＶは、ネットワークＮＷを介して他の装置ＳＵ、ＳＰ、ＴＡと通信する通信機能等を備え、センサ装置ＳＵから、被監視者Ｏｂに関わる所定のイベントの通知を受信すると被監視者Ｏｂに対する監視に関する情報（監視情報）を管理する装置である。管理サーバ装置ＳＶは、センサ装置ＳＵから前記イベントの通知として第１イベント通知通信信号を受信すると、前記第１イベント通知通信信号に収容された各情報に基づいて、被監視者Ｏｂに対する監視に関する前記監視情報を記憶（記録）し、そして、被監視者Ｏｂに対する監視に関する前記監視情報を収容した通信信号（第２イベント通知通信信号）を、前記センサ装置ＳＵに予め対応付けられた所定の端末装置ＳＰ、ＴＡに送信する。このために、管理サーバ装置ＳＶは、センサ装置ＳＵから送信された第１イベント通知通信信号等の通知先（再通知先、再報知先、送信先）を示す、送信元であるセンサＩＤと通知先（再通知先）である端末ＩＤとの対応関係（通知先対応関係）、および、その通信アドレスを記憶する。端末ＩＤ（端末装置識別子）は、端末装置ＳＰ、ＴＡを特定し識別するための識別子である。そして、管理サーバ装置ＳＶは、クライアント（本実施形態では固定端末装置ＳＰおよび携帯端末装置ＴＡ等）の要求に応じたデータを前記クライアントに提供する。このような管理サーバ装置ＳＶは、例えば、通信機能付きのコンピュータによって構成可能である。
【００２７】
図３を参照して、管理サーバ装置ＳＶは、動き量演算部２１、第１の判定部２２、記憶部２３、第１の記憶処理部２４、寝姿勢判定部２５、第２の記憶処理部２６、第１の決定部２７、第２の決定部２８、第２の判定部２９および第３の判定部３０を備える。これらの機能ブロックについては、後で説明する。
【００２８】
図１を参照して、固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等をすることによって、被監視者監視システムＭＳのユーザインターフェース（ＵＩ）として機能する装置である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【００２９】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた監視情報（動画を含む）を表示したり、センサ装置ＳＵとの間で音声通話によってナースコールの応答や声かけしたり等をするための機器である。
【００３０】
図４は、本実施形態における被監視者監視システムＭＳの一つの機能を説明する説明図である。図２〜図４を参照して、撮像部１１は、被監視者Ｏｂが寝ている状態で被監視者Ｏｂの動画を撮影し、ＳＵ通信ＩＦ部１４は、その動画データＭＤを管理サーバ装置ＳＶに送信する。撮影時間は、例えば、２４時間である。
【００３１】
動き量演算部２１は、撮像部１１による動画の撮影と並行して、動画データＭＤ（画像データ）を用いて、寝ている被監視者Ｏｂの動き量を演算する。詳しく説明すると、動き量演算部２１は、例えば、動画データＭＤを構成するフレームの中で、現在のフレームと、例えば、５秒前のフレームとの差分を算出し、画素値が異なっている画素の合計を算出し、この合計を動き量とする。このように、撮像部１１および動き量演算部２１は、寝ている被監視者Ｏｂの動き量を測定する測定部として機能する。
【００３２】
上記測定部は、寝ている被監視者Ｏｂの動き量を逐次測定する。例えば、所定時間毎（例えば、１秒毎）に動き量を測定する。第１の判定部２２は、逐次測定された動き量が所定の閾値以下であるか否かを判定する。第１の記憶処理部２４は、動き量が所定の閾値以下の時間帯（言い換えれば、寝ている被監視者Ｏｂの動き量が所定量以下の時間帯）を記録時間帯に設定し、記録時間帯に撮像部１１によって撮影された被監視者Ｏｂの画像を、記憶部２３に記憶させる第１の処理をする。図４に示す記号（⇔）で示される時間帯は、非記録時間帯である。非記録時間帯（⇔）と非記録時間帯（⇔）との間の時間帯が記録時間帯（例えば、時刻ｔ２〜時刻ｔ３の時間帯が記録時間帯）である。例えば、第１の記憶処理部２４は、動き量が所定の閾値以下になったとき、第１の処理を開始し、動き量が所定の閾値を超えたとき、第１の処理を終了させる。
【００３３】
寝姿勢判定部２５は、記録時間帯が経過後、動画データＭＤ（画像データ）を用いて、被監視者Ｏｂの寝ている姿勢（寝姿勢）を判定する。このように、撮像部１１および寝姿勢判定部２５は、被監視者Ｏｂの寝姿勢を検出する検出部として機能する。寝姿勢の検出の仕方の一例を説明する。図５〜図８は、被監視者Ｏｂが寝ている状態を示す模式図であり、図５は、寝姿勢が仰向けの場合を示し、図６は、寝姿勢がうつ伏せの場合を示し、図７は、寝姿勢が右横向き場合を示し、図８は、寝姿勢が左横向き場合を示している。
【００３４】
図５〜図８を参照して、被監視者Ｏｂは、ベッド４１上で寝ており、被監視者Ｏｂの頭部以外の身体には、布団４５がかけられている。符号４３は、枕を示す。上記検出部は、被監視者Ｏｂの頭部の肌色領域５１と髪色領域５３とに着目して、被監視者Ｏｂの寝姿勢を判定する。肌色領域５１は、被監視者Ｏｂの顔の領域である。肌色領域５１の色は、被監視者Ｏｂの顔の肌の色である。髪色領域５３は、被監視者Ｏｂの頭部の髪の毛が生えている領域である。髪色領域５３の色は、被監視者Ｏｂの頭部の髪の毛の色である。寝姿勢判定部２５は、記録時間帯経過後の動画データＭＤを用いて、被監視者Ｏｂの頭部の画像領域を抽出する。例えば、円形や楕円形のハフ変換によって、又は、例えば、予め用意された頭部のモデルを用いたパターンマッチングによって、又は、例えば、頭部検出用に学習したニューラルネットワークによって、被監視者Ｏｂの頭部の画像領域が抽出される。次に、寝姿勢判定部２５は、抽出した画像領域における肌色領域５１と髪色領域５３を抽出する。これらの領域は、色により区別することができる。
【００３５】
寝姿勢判定部２５は、被監視者Ｏｂの頭部の画像領域において、左側部の大部分に髪色領域５３が存在すれば、被監視者Ｏｂの寝姿勢が右横向きと判定する（図７）。寝姿勢判定部２５は、被監視者Ｏｂの頭部の画像領域において、右側部の大部分に髪色領域５３が存在すれば、被監視者Ｏｂの寝姿勢が左横向きと判定する（図８）。寝姿勢判定部２５は、右横向きおよび左横向きのいずれにも該当せず、被監視者Ｏｂの頭部の画像領域において、肌色領域５１が髪色領域５３より大きければ、被監視者Ｏｂの寝姿勢が仰向きと判定する（図５）。寝姿勢判定部２５は、右横向きおよび左横向きのいずれにも該当せず、被監視者Ｏｂの頭部の画像領域において、髪色領域５３が肌色領域５１より大きければ、被監視者Ｏｂの寝姿勢がうつ伏せと判定する（図６）。
【００３６】
なお、寝姿勢の検出は、背景技術で説明した特許文献１の技術を用いてもよい。
【００３７】
図２〜図４を参照して、第２の記憶処理部２６は、寝姿勢判定部２５によって判定された寝姿勢（すなわち、撮像部１１および寝姿勢判定部２５によって構成される上記検出部が検出した寝姿勢）を示す寝姿勢情報（仰向き、うつ伏せ、左横向き、右横向きのいずれかを示す情報）を、記憶部２３に記憶させる第２の処理をする。図４に示す記号（↑）で示される寝姿勢が仰向きを示し、記号（↓）で示される寝姿勢がうつ伏せを示し、記号（←）で示される寝姿勢が左横向きを示し、記号（→）で示される寝姿勢が右横向きを示す。
【００３８】
本実施形態における被監視者監視システムＭＳにおいて、被監視者Ｏｂの寝姿勢、および、記録時間帯の被監視者Ｏｂの画像を記憶する動作について説明する。図９は、この動作を説明するフローチャートである。図４に示す痩せた人を例にして説明する。
【００３９】
図２および図９を参照して、撮像部１１は、寝ている状態の被監視者Ｏｂの動画の撮影を開始し（ステップＳ２１）、センサ装置ＳＵは、撮影された動画の動画データＭＤを逐次、管理サーバ装置ＳＶに送信する。
【００４０】
動き量演算部２１（測定部の構成要素）は、動画データＭＤを用いて、被監視者Ｏｂの動き量を演算する（ステップＳ２２）。
【００４１】
第１の判定部２２は、ステップＳ２２で演算された動き量を、図４に示す閾値ＴＨ１と比較し、動き量が閾値ＴＨ１以下であるか否かを判定する（ステップＳ２３）。
【００４２】
第１の判定部２２が、動き量が閾値ＴＨ１を超えると判定したとき（ステップＳ２３でＮｏ）、動き量演算部２１は、ステップＳ２２の処理を継続する。
【００４３】
第１の判定部２２が、動き量が閾値ＴＨ１以下になったと判定したとき（ステップＳ２３でＹｅｓ）、第１の記憶処理部２４は、被監視者Ｏｂの画像を記憶部２３に記憶させる処理を開始する（ステップＳ２４）。例えば、第１の判定部２２は、図４に示す時刻ｔ２の動き量が閾値ＴＨ１以下と判定したとき、第１の記憶処理部２４は、動画データＭＤのうち、時刻ｔ２のフレーム（画像）から、フレーム（画像）を記憶部２３に記憶させる処理を開始する。
【００４４】
動き量演算部２１は、時刻ｔ２後の動画データＭＤを用いて、被監視者Ｏｂの動き量を演算する（ステップＳ２５）。
【００４５】
第１の判定部２２は、ステップＳ２５で演算された動き量を、図４に示す閾値ＴＨ１と比較し、動き量が閾値ＴＨ１以下であるか否かを判定する（ステップＳ２６）。
【００４６】
第１の判定部２２が、動き量が閾値ＴＨ１以下と判定したとき（ステップＳ２６でＹｅｓ）、動き量演算部２１は、ステップＳ２５の処理を継続する。
【００４７】
第１の判定部２２が、動き量が閾値ＴＨ１を超えると判定したとき（ステップＳ２６でＮｏ）、第１の記憶処理部２４は、被監視者Ｏｂの画像を記憶部２３に記憶させる処理を終了する（ステップＳ２７）。例えば、第１の判定部２２は、図４に示す時刻ｔ３の動き量が閾値ＴＨ１を超えると判定したとき、第１の記憶処理部２４は、動画データＭＤのうち、時刻ｔ３のフレーム（画像）から、フレーム（画像）を記憶部２３に記憶させる処理を中止する。記憶部２３には、非記録時間帯Ｔ１と非記録時間帯Ｔ２との間の記録時間帯（時刻ｔ２〜時刻ｔ３の時間帯）の動画データＭＤが記憶される。
【００４８】
寝姿勢判定部２５は、時刻ｔ２以降の動画データＭＤを用いて、被監視者Ｏｂの寝姿勢を判定する（ステップＳ２８）。図４を参照して、時刻ｔ２後の寝姿勢は、仰向きと判定されている。
【００４９】
第２の記憶処理部２６は、ステップＳ２８で判定された寝姿勢を、記録時間帯（ここでは、時刻ｔ２〜時刻ｔ３の時間帯）の寝姿勢として記憶部２３に記憶させる（ステップＳ２９）。
【００５０】
そして、動き量演算部２１は、時刻ｔ３以降の動画データＭＤを用いて、被監視者Ｏｂの動き量を演算する（ステップＳ２２）。以後は、これまでの説明と同様の処理が繰り返される。従って、図４を参照して、非記録時間帯Ｔ２と非記録時間帯Ｔ３との間の記録時間帯の動画データＭＤおよび寝姿勢、非記録時間帯Ｔ３と非記録時間帯Ｔ４との間の記録時間帯の動画データＭＤおよび寝姿勢、・・・・が、記憶部２３に記憶される。
【００５１】
以上説明したように、第２の記憶処理部２６が、ステップＳ２９の処理（第２の処理）をすることにより、寝ている被監視者Ｏｂに対して、寝姿勢を時系列で記憶部２３に記憶させることができる。これにより、記憶部２３には、寝ている被監視者Ｏｂの寝姿勢の履歴が記憶されることになる。従って、監視者ＮＳ（看護者等）は、寝ている被監視者Ｏｂの部屋に定期的に行って、その被監視者Ｏｂの寝姿勢を記録する手間を省くことができるので、監視者ＮＳの業務効率を改善することができる。また、監視者ＮＳは、寝姿勢の履歴を見ることにより、過去の寝姿勢とこの寝姿勢が判定された時刻とが分かる。従って、監視者ＮＳが被監視者Ｏｂの寝姿勢を次に変えるときに、次の寝姿勢に変えるタイミングの判断、および、次の寝姿勢をどの寝姿勢にすればよいかの判断の参考にすることができる。
【００５２】
寝ている被監視者Ｏｂの動画データＭＤの全てが記憶部２３に記憶される場合、動画データＭＤのデータ量が大きくなるので、これに対応できる容量の記憶部２３が必要となる。従って、記憶部２３のコストが高くなる。これに対して、本実施形態によれば、記憶部２３には、寝ている被監視者Ｏｂが安定していない時間帯を非記録時間帯（例えば、図４に示す非記録時間帯Ｔ１，Ｔ２，Ｔ３，Ｔ４）とし、この時間帯の動画データＭＤ（無駄な動画データＭＤ）が記憶されないので、記憶部２３に必要とされる容量を小さくできる。従って、記憶部２３のコストを低くすることができる。
【００５３】
本実施形態は、以下の機能１〜機能７を有する。
【００５４】
機能１から説明する。図１および図３を参照して、被監視者監視システムＭＳは、第１の入力部（不図示）を備える。第１の入力部は、管理サーバ装置ＳＶ、固定端末装置ＳＰ、携帯端末装置ＴＡのいずれに備えられていてもよい。第１の入力部は、キーボード、マウス、タッチパネル等により実現される。
【００５５】
第１の判定部２２は、被監視者監視システムＭＳのユーザ（例えば、監視者ＮＳ）によって、第１の入力部が操作されて、上記所定の閾値となる値が入力されたとき、入力された値を所定の閾値として、寝ている被監視者Ｏｂの動き量が所定の閾値以下であるか否かを判定する。
【００５６】
機能１によれば、被監視者監視システムＭＳのユーザが、所定の閾値を決定できる。ユーザは、被監視者Ｏｂの体型等を考慮し、所定の閾値となる値を決定する。
【００５７】
機能２を説明する。図１および図３を参照して、被監視者監視システムＭＳは、第２の入力部（不図示）を備える。第２の入力部は、管理サーバ装置ＳＶ、固定端末装置ＳＰ、携帯端末装置ＴＡのいずれに備えられていてもよい。第２の入力部は、キーボード、マウス、タッチパネル等により実現される。
【００５８】
第１の決定部２７は、被監視者監視システムＭＳのユーザ（例えば、監視者ＮＳ）によって、第２の入力部が操作されて被監視者Ｏｂについて、床ずれの発生に関する所定の特徴パラメータが入力されたとき、その特徴パラメータに基づいて、所定の閾値を決定する。
【００５９】
機能２によれば、被監視者監視システムＭＳのユーザが、被監視者Ｏｂの特徴パラメータを入力したとき、特徴パラメータに基づいて、所定の閾値が自動的に決定される。具体的に説明する。例えば、特徴パラメータは、被監視者Ｏｂの体型を示す情報とする。第１の決定部２７は、被監視者Ｏｂの体型が痩せている場合、太っている場合と比べて、決定する所定の閾値を小さくする。図４を参照して、痩せている体型の閾値ＴＨ１は、太っている体型の閾値ＴＨ２より小さくされている。痩せている場合は、太っている場合と比べて、床ずれのリスクが高いので、詳しく観察できるようにする。
【００６０】
例えば、特徴パラメータは、被監視者Ｏｂが麻痺の症状を有するか否かの情報とする。第１の決定部２７は、被監視者Ｏｂが麻痺の症状を有する場合、麻痺の症状を有さない場合と比べて、決定する所定の閾値を小さくする。麻痺の症状を有する場合は、麻痺の症状を有さない場合と比べて、床ずれのリスクが高いので、詳しく観察できるようにする。
【００６１】
例えば、特徴パラメータは、被監視者Ｏｂの麻痺の箇所を示す情報とする。第１の決定部２７は、被監視者Ｏｂの麻痺の箇所が予め定められた箇所の場合、予め定められた箇所でない場合と比べて、決定する所定の閾値を小さくする。麻痺の箇所が予め定められた箇所の場合（体重がかかりやすい箇所、例えば、臀部）は、予め定められた箇所でない場合と比べて、床ずれのリスクが高いので、詳しく観察できるようにする。
【００６２】
機能３を説明する。図３を参照して、第１の記憶処理部２４は、記録時間帯に撮像部１１によって撮影された被監視者Ｏｂの全画像のうち、当該記録時間帯において、所定の時間間隔で選択した画像を記憶部２３に記憶させる。具体的に説明すると、図４を参照して、第１の記憶処理部２４は、記録時間帯Ｔ１の動画のうち、例えば、５秒間隔で選択した画像を記憶部２３に記憶させ、記録時間帯Ｔ２の動画のうち、５秒間隔で選択した画像を記憶部２３に記憶させ、記録時間帯Ｔ３の動画のうち、５秒間隔で選択した画像を記憶部２３に記憶させ、以降の記録時間帯の動画についても同様の処理をする。
【００６３】
機能３によれば、記録時間帯の全画像が記憶部２３に記憶されるのではなく、記録時間帯の中で、所定の時間間隔で選択した画像（記録時間帯の全画像の一部）を記憶部２３に記憶させる。従って、記憶部２３に記憶させる画像の量を抑制することができる。
【００６４】
機能４を説明する。図１および図３を参照して、被監視者監視システムＭＳは、第３の入力部（不図示）を備える。第３の入力部は、管理サーバ装置ＳＶ、固定端末装置ＳＰ、携帯端末装置ＴＡのいずれに備えられていてもよい。第３の入力部は、キーボード、マウス、タッチパネル等により実現される。
【００６５】
第１の記憶処理部２４は、被監視者監視システムＭＳのユーザによって、第３の入力部が操作されて、上記所定の時間間隔となる値が入力されたとき、入力された値を所定の時間間隔として選択した画像を記憶部２３に記憶させる。
【００６６】
機能４によれば、被監視者監視システムＭＳのユーザが、所定の時間間隔を決定できる。ユーザは、被監視者Ｏｂの体型等を考慮し、所定の時間間隔となる値を決定する。例えば、痩せている人は、太っている人と比べて、床ずれのリスクが高いので、詳しく観察する必要がある。そこで、痩せている人は太っている人と比べて、所定の時間間隔を短くする。
【００６７】
機能５を説明する。図１および図３を参照して、被監視者監視システムＭＳは、第４の入力部（不図示）を備える。第４の入力部は、管理サーバ装置ＳＶ、固定端末装置ＳＰ、携帯端末装置ＴＡのいずれに備えられていてもよい。第４の入力部は、キーボード、マウス、タッチパネル等により実現される。
【００６８】
第２の決定部２８は、被監視者監視システムＭＳのユーザによって、第４の入力部が操作されて、被監視者Ｏｂについて、床ずれの発生に関する所定の特徴パラメータが入力されたとき、その特徴パラメータに基づいて、所定の時間間隔を決定する。
【００６９】
機能５によれば、被監視者監視システムＭＳのユーザが、被監視者Ｏｂの特徴パラメータを入力したとき、その特徴パラメータに基づいて、所定の時間間隔が自動的に決定される。具体的に説明する。例えば、特徴パラメータは、被監視者Ｏｂの体型を示す情報とする。第２の決定部２８は、被監視者Ｏｂの体型が痩せている場合、太っている場合と比べて、決定する所定の時間間隔を短くする。痩せている場合は、太っている場合と比べて、床ずれのリスクが高いので、詳しく観察できるようにする。
【００７０】
例えば、特徴パラメータは、被監視者Ｏｂが麻痺の症状を有するか否かの情報とする。第２の決定部２８は、被監視者Ｏｂが麻痺の症状を有する場合、麻痺の症状を有さない場合と比べて、決定する所定の時間間隔を短くする。麻痺の症状を有する場合は、麻痺の症状を有さない場合と比べて、床ずれのリスクが高いので、詳しく観察できるようにする。
【００７１】
例えば、特徴パラメータは、被監視者Ｏｂの麻痺の箇所を示す情報とする。第２の決定部２８は、被監視者Ｏｂの麻痺の箇所が予め定められた箇所の場合、予め定められた箇所でない場合と比べて、決定する所定の時間間隔を短くする。麻痺の箇所が予め定められた箇所の場合（体重がかかりやすい箇所、例えば、臀部）は、予め定められた箇所でない場合と比べて、床ずれのリスクが高いので、詳しく観察できるようにする。
【００７２】
機能６を説明する。ドップラ信号を基にして、寝ている人間の体動（例えば、寝返り、四肢の動き）が検出できることは広く知られている。本願の出願人も、その技術を開示している（例えば、特願２０１５−０３５１１６号）。図１０は、体動を検出した場合におけるドップラ信号の一例を示す図である。図１１は、呼吸を検出した場合におけるドップラ信号の一例を示す図である。図１０および図１１は、ドップラ信号のグラフを示しており、グラフの横軸は、時間であり、グラフの縦軸は、出力値（信号レベル、振幅）である。
【００７３】
図１０を参照して、体動は、ゆっくり動く胴体の動きと早く動く手足の動きが混在し、比較的大きな動作で非周期的な動きとなる。このような体の各部が様々な動きをする体動に対応するドップラ信号は、比較的大きな信号強度を持つ比較的広帯域な信号であり、比較的振幅が大きく時間経過に従って振幅が不規則に変化する信号となる。
【００７４】
図１１を参照して、呼吸の動きは、胸部の上下動として現れ、比較的小さな動作で周期的な動きとなる。安静呼吸では、一般に、約１２〜２５回／分であり、約０．２Ｈｚ〜０．４Ｈｚで胸部が上下動する。このような呼吸の動きに対応するドップラ信号は、比較的小さな信号強度を持つ比較的狭帯域な信号であり、比較的振幅が小さく時間経過に従って振幅が規則に変化する信号となる。
【００７５】
このように、寝ている人間の体動が検出されているときのドップラ信号は、寝ている人間が呼吸をしているときのドップラ信号と明らかに区別できるので、ドップラ信号を基にして、寝ている人間の体動を検出することができる。
【００７６】
図２および図３を参照して、ドップラセンサ部１２は、寝ている被監視者Ｏｂに対して、送信波を送信し、寝ている被監視者Ｏｂで反射した送信波の反射波を受信し、送信波と反射波とに基づいてドップラ周波数成分のドップラ信号ＤＳを生成する。ＳＵ通信ＩＦ部１４は、ドップラ信号ＤＳを、管理サーバ装置ＳＶに送信する。第２の判定部２９は、ドップラ信号ＤＳを基にして、ドップラセンサ部１２が被監視者Ｏｂの体動を検出したか否かを判定する。
【００７７】
第１の記憶処理部２４は、動き量演算部２１で演算された、寝ている被監視者Ｏｂの動き量が上記所定の閾値（例えば、図４に示す閾値ＴＨ１）以下であっても、ドップラセンサ部１２が被監視者Ｏｂの体動を、所定量を超えて検出している時間帯に、撮像部１１によって撮影された被監視者Ｏｂの動画（画像）を記憶部２３に記憶しない。
【００７８】
撮像部１１および動き量演算部２１により構成される測定部（不図示）は、撮像部１１が撮影した被監視者Ｏｂの画像に対して、上述した所定の画像処理をして、動き量を測定するが、動き量を上手く測定できないこともある。そこで、ドップラセンサ部１２を補完的に適用し、たとえ、動き量が所定の閾値以下であっても、ドップラセンサ部１２によって所定量以上の体動が検出されたとき、第１の記憶処理部２４は、体動が検出されている時間帯に撮像部１１によって撮影された被監視者の画像を記憶部２３に記憶しない。
【００７９】
機能７を説明する。図３を参照して、第３の判定部３０は、被監視者Ｏｂが寝ている姿勢か否かを判定する。被監視者Ｏｂが寝ている姿勢でないと判定されたとき、動き量が所定の閾値（所定量）以下であっても、第１の記憶処理部２４は第１の処理をせず、かつ、第２の記憶処理部２６は第２の処理をしない。
【００８０】
被監視者Ｏｂが寝ている姿勢か否かの判定は、公知の方法を用いることができる。例えば、第３の判定部３０は、動画データＭＤに含まれるフレーム（画像）から被監視者Ｏｂの頭部の画像を抽出し、頭部の画像のサイズが所定値より小さければ、被監視者Ｏｂが寝ている姿勢と判定し、頭部の画像のサイズが所定値以上であれば、被監視者Ｏｂが座っている姿勢と判定する。
【００８１】
被監視者Ｏｂが寝ている姿勢以外のときの画像（例えば、ベッド上で座っているときの画像）は、床ずれ防止と関係がなく、無駄な画像である。被監視者Ｏｂが寝ている姿勢以外のとき、被監視者Ｏｂが寝ている姿勢の判定はできない。そこで、機能７によれば、被監視者Ｏｂが寝ている姿勢以外のとき、たとえ、被監視者Ｏｂの動き量が所定の閾値以下でも、上述した第１の処理および第２の処理をしない。機能７によれば、被監視者Ｏｂが安定して寝ている姿勢以外の画像が記憶部２３に記憶されることを防止できるので、記憶部２３に必要とされる容量を小さくできる。従って、記憶部２３のコストを低くすることができる。
【００８２】
（実施形態の纏め）
本実施形態の第１局面にかかる被監視者監視システムは、被監視者が寝ている状態で前記被監視者を撮影する撮像部と、前記撮影と並行して、寝ている前記被監視者の動き量を測定する測定部と、記憶部と、寝ている前記被監視者の前記動き量が所定量以下の時間帯を記録時間帯に設定し、前記記録時間帯に前記撮像部によって撮影された前記被監視者の画像を、前記記憶部に記憶させる第１の処理をする第１の記憶処理部と、前記第１の処理によって前記記憶部に記憶された画像を基に前記被監視者が寝ている姿勢である寝姿勢を検出する検出部と、前記検出部が検出した前記寝姿勢を示す寝姿勢情報を、前記記憶部に記憶させる第２の処理をする第２の記憶処理部と、を備える。
【００８３】
被監視者の床ずれ防止のためには、正確な寝姿勢を把握することが重要である。本実施形態の第１局面にかかる被監視者監視システムによれば、第１の記憶処理部が、第１の処理をすることにより、被監視者が安定して寝ている時間帯（記録時間帯）の画像が記憶部に記憶される。
【００８４】
また、第２の記憶処理部が、第２の処理をすることにより、寝ている被監視者の寝姿勢を記憶部に記憶させることができる。従って、監視者は、寝ている被監視者の部屋に定期的に行って、その被監視者の寝姿勢を記録する手間を省くことができるので、監視者の業務効率を改善することができる。
【００８５】
以上説明したように、本実施形態の第１局面にかかる被監視者監視システムによれば、被監視者が寝ている姿勢の管理を支援することができる。
【００８６】
上記構成において、前記測定部は、前記動き量を逐次測定し、前記被監視者監視システムは、さらに、逐次測定された前記動き量が所定の閾値以下であるか否かを判定する第１の判定部を備え、前記第１の記憶処理部は、前記動き量が前記所定の閾値以下の時間帯を前記記録時間帯に設定し、前記第１の処理をする。
【００８７】
この構成は、記録時間帯の特定の仕方の例である。測定部は、動き量を逐次測定する。例えば、所定時間毎（例えば、１秒毎）に動き量を測定する。第１の判定部は、逐次測定された動き量が所定の閾値以下であるか否かを判定する。第１の記憶処理部は、動き量が所定の閾値以下の時間帯を記録時間帯に設定し、第１の処理をする。
【００８８】
上記構成において、第１の入力部をさらに備え、前記第１の判定部は、前記動き量が、前記第１の入力部が操作され入力された前記所定の閾値以下であるか否かを判定する。
【００８９】
この構成によれば、被監視者監視システムのユーザ（例えば、監視者）が、所定の閾値を決定できる。ユーザは、被監視者の体型等を考慮し、所定の閾値となる値を決定する。例えば、痩せている人は、太っている人と比べて、床ずれのリスクが高いので、詳しく観察をする必要がある。そこで、痩せている人は太っている人と比べて、所定の閾値を小さくする。
【００９０】
上記構成において、第２の入力部と、前記第２の入力部が操作され入力された前記被監視者に関する所定の特徴パラメータ（床ずれの発生に関する所定の特徴パラメータ）に基づいて、前記所定の閾値を決定する第１の決定部と、をさらに備える。
【００９１】
この構成によれば、被監視者監視システムのユーザが、被監視者の特徴パラメータを入力したとき、特徴パラメータに基づいて、所定の閾値が自動的に決定される。具体的に説明する。例えば、前記特徴パラメータは、前記被監視者の体型を示す情報とする。前記第１の決定部は、前記被監視者の体型が痩せている場合、太っている場合と比べて、決定する前記所定の閾値を小さくする。例えば、前記特徴パラメータは、前記被監視者が麻痺の症状を有するか否かの情報とする。前記第１の決定部は、前記被監視者が麻痺の症状を有する場合、麻痺の症状を有さない場合と比べて、決定する前記所定の閾値を小さくする。例えば、前記特徴パラメータは、前記被監視者の麻痺の箇所を示す情報とする。前記第１の決定部は、前記被監視者の麻痺の箇所が予め定められた箇所（例えば、臀部）の場合、前記予め定められた箇所でない場合と比べて、決定する前記所定の閾値を小さくする。いずれも、床ずれのリスクが高い場合は、床ずれのリスクが高くない場合と比べて、所定の閾値を小さくし、詳しく観察できるようにする。
【００９２】
上記構成において、前記第１の記憶処理部は、前記第１の処理として、前記記録時間帯に前記撮像部によって撮影された前記被監視者の全画像のうち、当該記録時間帯において、所定の時間間隔で選択した画像を前記記憶部に記憶させる。
【００９３】
この構成は、記録時間帯の全画像を記憶部に記憶させるのではなく、記録時間帯の中で、所定の時間間隔（例えば、５秒間隔）で選択した画像を記憶部に記憶させる。従って、記憶部に記憶させる画像の量を抑制することができる。
【００９４】
上記構成において、第３の入力部をさらに備え、前記第１の記憶処理部は、前記第３の入力部が操作され入力された前記所定の時間間隔に基づいて選択した画像を前記記憶部に記憶させる。
【００９５】
この構成によれば、被監視者監視システムのユーザが、所定の時間間隔を決定できる。ユーザは、被監視者の体型等を考慮し、所定の時間間隔となる値を決定する。例えば、痩せている人は、太っている人と比べて、床ずれのリスクが高いので、詳しく観察をする必要がある。そこで、痩せている人は太っている人と比べて、所定の時間間隔を短くする。
【００９６】
上記構成において、第４の入力部と、前記第４の入力部が操作され入力された前記被監視者に関する所定の特徴パラメータ（床ずれの発生に関する所定の特徴パラメータ）に基づいて、前記所定の時間間隔を決定する第２の決定部と、をさらに備える。
【００９７】
この構成によれば、被監視者監視システムのユーザが、被監視者の特徴パラメータを入力したとき、特徴パラメータに基づいて、所定の時間間隔が自動的に決定される。具体的に説明する。例えば、前記特徴パラメータは、前記被監視者の体型を示す情報とする。第２の決定部は、前記被監視者の体型がやせている場合、太っている場合と比べて、決定する前記所定の時間間隔を短くする。例えば、前記特徴パラメータは、前記被監視者が麻痺の症状を有するか否かの情報とする。前記第２の決定部は、前記被監視者が麻痺の症状を有する場合、麻痺の症状を有さない場合と比べて、決定する前記所定の時間間隔を短くする。例えば、前記特徴パラメータは、前記被監視者の麻痺の箇所を示す情報とする。前記第２の決定部は、前記被監視者の麻痺の箇所が予め定められた箇所の場合、前記予め定められた箇所でない場合と比べて、決定する前記所定の時間間隔を短くする。いずれも、床ずれのリスクが高い場合は、床ずれのリスクが高くない場合と比べて、所定の時間間隔を短くし、詳しく観察できるようにする。
【００９８】
上記構成において、送信波と前記送信波の反射波とに基づいてドップラ周波数成分のドップラ信号を出力するドップラセンサ部と、前記ドップラセンサ部から出力されたドップラ信号を基にして、前記被監視者に体動が発生したか否かを判定する第２の判定部と、をさらに備え、前記測定部は、前記撮像部が撮影した前記被監視者の画像に対して、所定の画像処理をして、前記動き量を測定し、前記第１の記憶処理部は、前記動き量が前記所定量以下であっても、前記体動が発生している時間帯に、前記撮像部によって撮影された前記被監視者の画像を前記記憶部に記憶しない。
【００９９】
測定部は、撮像部が撮影した被監視者の画像に対して、所定の画像処理をして、動き量を測定するが、動き量を上手く測定できないこともある。そこで、ドップラセンサを補完的に適用し、たとえ、動き量が所定量以下であっても、ドップラセンサによって所定量を超える体動が検出されたとき、第１の記憶処理部は、体動が検出されている時間帯に、撮像部によって撮影された被監視者の画像を記憶部に記憶しない。
【０１００】
上記構成において、前記被監視者が寝ている姿勢か否かを判定する第３の判定部と、前記被監視者が寝ている姿勢でないと判定されたとき、前記動き量が前記所定量以下でも、前記第１の記憶処理部は前記第１の処理をせず、かつ、前記第２の記憶処理部は前記第２の処理をしない。
【０１０１】
被監視者が寝ている姿勢以外のときの画像（例えば、ベッド上で座っているときの画像）は、床ずれ防止と関係がなく、無駄な画像である。被監視者が寝ている姿勢以外のとき、被監視者が寝ている姿勢の判定はできない。そこで、この構成によれば、被監視者が寝ている姿勢以外のとき、たとえ、被監視者の動き量が所定量以下であっても、第１の処理および第２の処理をしない。この構成によれば、被監視者が安定して寝ている姿勢以外の画像が記憶部に記憶されることを防止できるので、記憶部に必要とされる容量を小さくできる。従って、記憶部のコストを低くすることができる。
【０１０２】
本実施形態の第２局面にかかる被監視者監視方法は、被監視者が寝ている状態で前記被監視者を撮影する第１のステップと、前記第１のステップと並行して、寝ている前記被監視者の動き量を測定する第２のステップと、寝ている前記被監視者の前記動き量が所定量以下の時間帯を記録時間帯に設定し、前記記録時間帯に、前記第１のステップによって撮影された前記被監視者の画像を、記憶部に記憶させる第１の処理をする第３のステップと、前記第１の処理によって前記記憶部に記憶された画像を基に前記被監視者が寝ている姿勢である寝姿勢を検出する第４のステップと、前記第４のステップによって検出された前記寝姿勢を示す寝姿勢情報を、前記記憶部に記憶させる第２の処理をする第５のステップと、を備える。
【０１０３】
本実施形態の第２局面にかかる被監視者監視方法は、本実施形態の第１局面にかかる被監視者監視システムを方法の観点から規定しており、本実施形態の第１局面にかかる被監視者監視システムと同様の作用効果を有する。
【０１０４】
この出願は、２０１６年４月１９日に出願された日本国特許出願特願２０１６−０８３４５６を基礎とするものであり、その内容は、本願に含まれるものである。
【０１０５】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１０６】
本発明によれば、被監視者監視システムおよび被監視者監視方法を提供することができる。
【図１】
2017183602.tif 000003
【図２】
2017183602.tif 000004
【図３】
2017183602.tif 000005
【図４】
2017183602.tif 000006
【図５】
2017183602.tif 000007
【図６】
2017183602.tif 000008
【図７】
2017183602.tif 000009
【図８】
2017183602.tif 000010
【図９】
2017183602.tif 000011
【図１０】
2017183602.tif 000012
【図１１】
2017183602.tif 000013
【国際調査報告】
2017183602.tif 000014
2017183602.tif 000015
2017183602.tif 000016
2017183602.tif 000017